【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
互いに剥離可能に積層された第１基材および第２基材を含む積層体のうち、前記第２基材から剥離された前記第１基材を巻き取る第１巻取ローラと、
前記積層体のうち、前記第１基材から剥離された前記第２基材を巻き取る第２巻取ローラと、
前記第１基材の搬送方向において前記第１巻取ローラよりも上流側に配置されると共に前記第２基材の搬送方向において前記第２巻取ローラよりも上流側に配置され、前記積層体に接触しながら回転可能である第１ローラと、
前記第２基材の搬送方向において前記第１ローラよりも下流側に配置されると共に前記第２基材の搬送方向において前記第２巻取ローラよりも上流側に配置された第２ローラと、
前記第１基材の搬送方向において前記第１ローラの下流側に配置されると共に前記第１基材の搬送方向において前記第１巻取ローラよりも上流側に配置された第３ローラと
を備え、
前記第２ローラは、前記積層体が前記第１ローラと前記第２ローラとの間を通過すると共に前記第２基材が前記第２ローラの表面に沿いながら移動することにより回転可能となるように配置されており、
前記第３ローラは、前記第１基材が前記第３ローラと前記第１ローラとの間を通過すると共に前記第１基材が前記第１ローラから離間される箇所よりも前記第１基材の搬送方向における下流側において前記第１基材が前記第３ローラの表面に沿いながら移動し続けるように配置されており、
前記第３ローラは、前記第１基材が前記第３ローラに接触しながら移動することに応じて回転可能であり、
前記第３ローラは、前記第２ローラが配置されている側において前記第１ローラに接すると共に前記第２ローラが配置されている側において前記第１巻取ローラに接する接線と重なるように配置されており、
または、前記第３ローラは、前記接線よりも前記第１ローラの回転方向における下流側に配置されていると共に、前記第２ローラが配置されている側の反対側において前記第１ローラに接すると共に前記第１巻取ローラに対する前記接線の接点を通る直線である仮想線よりも前記第１ローラの回転方向における上流側に配置されている、
剥離装置。
【請求項２】
前記第３ローラは、前記第３ローラよりも上流側における前記第１基材の搬送方向と前記第３ローラよりも下流側における前記第１基材の搬送方向とにより規定される角度が９０°未満となるように、前記第１基材の搬送方向を変化させることが可能である
請求項１記載の剥離装置。
【請求項３】
前記積層体は、剥離基材と、前記剥離基材の一面に剥離可能に接着されたシール基材とを含み、
前記シール基材は、所定のパターン形状を有する１または２以上のラベル部と、それ以外の非ラベル部とを含み、
前記第１基材は、前記剥離基材および前記１または２以上のラベル部を含み、
前記第２基材は、前記非ラベル部を含む、
請求項１または請求項２に記載の剥離装置。
【請求項４】
さらに、レールを利用して移動するテンションバーを含むと共に前記テンションバーの移動を利用して前記積層体の張力を調整する張力調整機構を備えた
請求項１ないし請求項３のいずれか１項に記載の剥離装置。
【請求項５】
前記第１巻取ローラ、前記第２巻取ローラ、前記第１ローラ、前記第２ローラおよび前記第３ローラのそれぞれは、円筒状である、
請求項１ないし請求項４のいずれか１項に記載の剥離装置。
【請求項６】
前記第１巻取ローラおよび前記第２巻取ローラのうちの一方は、前記第１ローラの上方に配置されており、
前記第１巻取ローラおよび前記第２巻取ローラのうちの他方は、前記第１ローラの下方に配置されている、
請求項１ないし請求項５のいずれか１項に記載の剥離装置。
【手続補正２】
【補正対象書類名】明細書
【補正対象項目名】発明の名称
【補正方法】変更
【補正の内容】
【発明の名称】剥離装置  
【手続補正３】
【補正対象書類名】明細書
【補正対象項目名】０００１
【補正方法】変更
【補正の内容】
【０００１】
本発明は、互いに剥離可能に積層された２つの基材を剥離させる剥離装置に関する。
【手続補正４】
【補正対象書類名】明細書
【補正対象項目名】０００６
【補正方法】変更
【補正の内容】
【０００６】
本発明はかかる問題点に鑑みてなされたもので、その目的は、優れた剥離性能を得ることが可能な剥離装置を提供することにある。
【手続補正５】
【補正対象書類名】明細書
【補正対象項目名】０００７
【補正方法】変更
【補正の内容】
【０００７】
本発明の一実施形態の剥離装置は、互いに剥離可能に積層された第１基材および第２基材を含む積層体のうち、第２基材から剥離された第１基材を巻き取る第１巻取ローラと、積層体のうち、第１基材から剥離された第２基材を巻き取る第２巻取ローラと、第１基材の搬送方向において第１巻取ローラよりも上流側に配置されると共に第２基材の搬送方向において第２巻取ローラよりも上流側に配置され、積層体に接触しながら回転可能である第１ローラと、第２基材の搬送方向において第１ローラよりも下流側に配置されると共に第２基材の搬送方向において第２巻取ローラよりも上流側に配置された第２ローラと、第１基材の搬送方向において第１ローラの下流側に配置されると共に第１基材の搬送方向において第１巻取ローラよりも上流側に配置された第３ローラとを備え、第２ローラは、積層体が第１ローラと第２ローラとの間を通過すると共に第２基材が第２ローラの表面に沿いながら移動することにより回転可能となるように配置されており、第３ローラは、第１基材が第３ローラと第１ローラとの間を通過すると共に第１基材が第１ローラから離間される箇所よりも第１基材の搬送方向における下流側において第１基材が第３ローラの表面に沿いながら移動し続けるように配置されており、第３ローラは、第１基材が第３ローラに接触しながら移動することに応じて回転可能であり、第３ローラは、第２ローラが配置されている側において第１ローラに接すると共に第２ローラが配置されている側において第１巻取ローラに接する接線と重なるように配置されており、または、第３ローラは、接線よりも第１ローラの回転方向における下流側に配置されていると共に第２ローラが配置されている側の反対側において第１ローラに接すると共に第１巻取ローラに対する接線の接点を通る直線である仮想線よりも第１ローラの回転方向における上流側に配置されているものである。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明の一実施形態の剥離装置によれば、上記した第１巻取ローラ、第２巻取ローラ、第１ローラ、第２ローラおよび第３ローラを備えている。よって、優れた剥離性能を得ることができる。
【手続補正９】
【補正対象書類名】明細書
【補正対象項目名】００９５
【補正方法】変更
【補正の内容】
【００９５】
なお、搬送ローラ６の位置は、仮想線Ｌ２との関係において設定されていることが好ましい。この仮想線Ｌ２は、上記した接線Ｌ１とは異なり、搬送ローラ５が配置されていない側（下側）において搬送ローラ２（円形の輪郭）に接すると共に、上記した接点Ｔ２を通る直線である。言い換えれば、仮想線Ｌ２は、搬送ローラ２の輪郭上において接点Ｔ１とは反対側の位置（接点Ｔ３）において搬送ローラ２に接すると共に、接点Ｔ２を通る直線である。
【手続補正１０】
【補正対象書類名】明細書
【補正対象項目名】００９６
【補正方法】変更
【補正の内容】
【００９６】
より具体的には、搬送ローラ６は、仮想線Ｌ２よりも、回転方向２Ｒにおける上流側に配置されていることが好ましい。すなわち、例えば、搬送ローラ５が搬送ローラ６よりも上側に配置されている場合には、その搬送ローラ６は、仮想線Ｌ２よりも搬送ローラ５に近い側（上側）に配置されていることが好ましい。
【手続補正１１】
【補正対象書類名】明細書
【補正対象項目名】００９７
【補正方法】変更
【補正の内容】
【００９７】
搬送ローラ６が仮想線Ｌ２よりも上側に配置されていると、必要基材２０Ａが搬送ローラ６を経由して巻取ローラ３により巻き取られる際に、搬送ローラ２と巻取ローラ３との間における必要基材２０Ａの搬送距離が過剰に長くなりすぎない。このため、剥離角θ１を大きくしつつ、搬送ローラ２から搬送ローラ６を経由して搬送される必要基材２０Ａを巻取ローラ３において円滑かつ安定に巻き取りやすくなる。
【手続補正１２】
【補正対象書類名】明細書
【補正対象項目名】００９８
【補正方法】変更
【補正の内容】
【００９８】
特に、搬送ローラ６が接線Ｌ１よりも回転方向２Ｒにおける下流側に配置されていると共に、その搬送ローラ６が仮想線Ｌ２よりも回転方向２Ｒにおける上流側に配置されていれば、剥離角θ１を十分に大きくしつつ、巻取ローラ３が必要基材２０Ａを円滑かつ安定に巻き取りやすくなる。
【手続補正１３】
【補正対象書類名】明細書
【補正対象項目名】０１０３
【補正方法】変更
【補正の内容】
【０１０３】
また、搬送ローラ６が仮想線Ｌ２よりも回転方向２Ｒにおける上流側に配置されていれば、剥離角θ１を十分に大きくしつつ、巻取ローラ３が必要基材２０Ａを円滑かつ安定に巻き取りやすくなる。よって、より高い効果を得ることができる。